(57)【要約】【課題】使用者のための照明雰囲気を提供するとともに、別途の音響再生器具を備えることなく、オーディオソースの音響を聴取可能にした音響器具結合型の卓上電気スタンドを提供することにある。【解決手段】本考案による音響器具結合型の卓上電気スタンドは、台座１４と支柱１６と頭部２０とで構成される電気スタンド１０に、様々なオーディオソース２６を結合して使用可能にしたものにおいて、支柱１６の下方に幅方向に拡張された拡張部２８が形成され、この拡張部２８の内部空間に増幅器回路基板３０が内蔵され、その前面に、増幅器回路に電気的に連結されるスピーカ要素３２、３２’が両側に設けられ、増幅器回路基板３０のオン／オフスイッチ３４、ボリューム３６、及びオーディオソースに連結される連結ジャックポート３８が設けられる。【選択図】図１
0003122244.tif 000002
【実用新案登録請求の範囲】
【請求項１】
台座１４と支柱１６と頭部２０とで構成される電気スタンド１０に、様々なオーディオソース２６を結合して使用可能にしたものにおいて、
支柱１６の下方に幅方向に拡張された拡張部２８が形成され、この拡張部２８の内部空間に増幅器回路基板３０が内蔵され、その前面に増幅器回路に電気的に連結されるスピーカ要素３２、３２’が両側に設けられ、増幅器回路基板３０のオン／オフスイッチ３４、ボリューム３６、及びオーディオソースに連結される連結ジャックポート３８が設けられることを特徴とする音響器具結合型の卓上電気スタンド。
【考案の詳細な説明】
【技術分野】
【０００１】
本考案は、音響器具結合型の卓上電気スタンドに関し、特に、卓上電気スタンドに増幅器回路とスピーカが内蔵され、これに、様々なオーディオソースを連結して使用可能にした音響器具結合型の卓上電気スタンドに関する。
【背景技術】
【０００２】
一般に、卓上電気スタンドは、学生や事務職従事者の机に配置する照明器具として用いられている。この種の卓上電気スタンドは、たとえ、陰イオン発生器などをさらに設置して周囲環境を快適にする手段が結合されたものが知られているが、これまでは、単に、照明の目的にのみ用いられるものが主流となっている。
【０００３】
なお、オーディオソースの一つとして、青少年から大人気のＭＰ３（ＭＰＥＧ  Ａｕｄｉｏ  Ｌａｙｅｒ−３）は、その専用機器として用いられるか、携帯電話に付加的に備えられ、または、これ以外の他の携帯型電子器具などに付加的に備えられて用いられている。また、携帯電話の場合、移動体向けデジタル・マルチメディア放送サービスであるＤＭＢ（Ｄｉｇｉｔａｌ  Ｍｕｌｔｉｍｅｄｉａ  Ｂｒｏａｄｃａｓｔｉｎｇ）構成要素が結合されたものが紹介されているところ、このようなＤＭＢ構成要素にも、オーディオソースが含まれている。これらの携帯電話またはその他の携帯型電子器具は、そのオーディオソースの場合、使用者が移動中にこれを利用するときは、イヤホンを用いて音楽を聴いたり語学の勉強をしたりする。しかしながら、室内のある場所、例えば、机に座って、勉強をしたり事務をしたりする場合は、イヤホンを使用せず、別途に備えられたスピーカ器具に、イヤホンジャックから連結されたケーブルを連結して、オーディオソースの音声または音響を聴取するようになる。このようなスピーカ器具は、イヤホンジャックから出力される出力信号を増幅させる増幅器と、ステレオ音響のための二つのスピーカ要素とで構成される。特に、青少年が長時間イヤホンを用いる場合、聴力が悪くなる恐れがあり、周囲の音が聞こえず、危険な目に逢うことがあるため、イヤホンの長時間使用を勧奨してはいない。最近、音楽を聴きながら勉強をすると、集中力の向上に役立つという研究結果の報告もあり、青少年は、机に座って勉強をするとき、各種の音響器具を用いて、自分が好きな音楽を聴くことが多い。
【０００４】
しかしながら、例えば、青少年が、机に座って勉強をするとき、イヤホンを耳に付けずに音楽を聴く場合、オーディオソースの一つとして自分が携帯している音響器具と、解放された周囲へ音響を伝達させる上記のようなスピーカ器具とを必要とする。これらの音響器具やスピーカ器具を机の上に並べて使用する場合、机の上の他の様々な器物と混ざってしまう恐れがある。しかも、多くの場合、照明のための卓上電気スタンドが机の上に配置されると、使用者が使用可能な領域が狭くなるという問題点があった。
【考案の開示】
【考案が解決しようとする課題】
【０００５】
本考案は、上述の問題点に鑑みてなされたもので、その目的は、卓上電気スタンドに増幅器回路とスピーカが内蔵され、これに、様々なオーディオソースを連結して使用可能にすることにより、使用者のための照明雰囲気を提供するとともに、別途の音響再生器具を備えることなく、オーディオソースの音響を聴取可能にした音響器具結合型の卓上電気スタンドを提供することにある。
【課題を解決するための手段】
【０００６】
上記目的を達成すべく、本考案に係る音響器具結合型の卓上電気スタンドは、台座と支柱と頭部とで構成される電気スタンドに、様々なオーディオソースを結合して使用可能にしたものにおいて、支柱の下方に幅方向に拡張された拡張部が形成され、この拡張部の内部空間に増幅器回路基板が内蔵され、その前面に、増幅器回路に電気的に連結されるスピーカ要素が両側に設けられ、増幅器回路基板のオン／オフスイッチ、ボリューム、及びオーディオソースに連結される連結ジャックポートが設けられることを特徴とする。
【考案の効果】
【０００７】
本考案によれば、卓上電気スタンドに増幅器回路とスピーカが内蔵され、これに、様々なオーディオソースを連結して使用可能にした音響器具結合型の卓上電気スタンドを提供することができる。
【考案を実施するための最良の形態】
【０００８】
以下、本考案の好ましい実施の形態を、添付図面に基づき詳細に説明する。
【０００９】
図１と図２は、本考案に係る卓上電気スタンド１０を示している。この電気スタンド１０は、連結部１２を有する円盤状の台座１４と、台座１４の連結部１２に垂直に連結固定される支柱１６と、支柱１６の上部に連結される関節連結部１８と、照明ランプ（図示せず）が結合される頭部２０とで構成されている。
【００１０】
支柱１６は、その内部空間に照明ランプを点灯させる点灯回路基板２２が設けられ、外面に点灯スイッチ２４が設けられている。通常の電気スタンドと同様に、点灯スイッチ２４を用いて、点灯回路基板２２の点灯回路を作動させると、頭部２０の照明ランプが点灯される。
【００１１】
本考案によって、ＭＰ３専用機器、またはＭＰ３やＤＭＢ受信機器が内蔵された携帯電話のようなオーディオソース２６が、電気スタンド１０に結合されて用いられ得る。このため、電気スタンド１０の支柱１６は、その下側部分に幅方向へ拡張された拡張部２８が形成され、その内部空間に増幅器回路基板３０が内蔵されている。
【００１２】
支柱１６の拡張部２８には、その前面側に、ステレオ音響のための１対のスピーカ要素３２、３２’が設けられ、これらのスピーカ要素３２、３２’は、増幅器回路基板３０に電気的に連結され、拡張部２８の前面中央に増幅器回路のオン／オフスイッチ３４、ボリューム３６、及び連結ジャックポート３８が設けられ、これらが増幅器回路基板３０に電気的に連結される。
【００１３】
また、電気スタンド１０の台座１４の上部面には、オーディオソース２６が載置される凹状のトレイ４０が形成されている。
【００１４】
電気スタンド１０にオーディオソース２６を結合して用いる場合は、オーディオソース２６から延長された連結ケーブル４２の連結ジャック４４を、連結ジャックポート３８に連結して使用する。
【００１５】
使用者がオーディオソース２６からの音響を聴取しようとする場合、このオーディオソース２６を、電気スタンド１０の台座１４に形成されたトレイ４０に載置し、このオーディオソース２６から延長された連結ケーブル４２の連結ジャック４４を、支柱１６の拡張部２８に設けられた連結ジャックポート３８に連結して使用する。増幅器回路基板３０に電気的に連結された増幅器回路のオン／オフスイッチ３４を用いて、音響再生が開始されるようにし、ボリューム３６を用いて音量を調節するとともに、支柱１６の拡張部２８に設けられたスピーカ要素３２、３２’から音響を聴取することができる。
【図面の簡単な説明】
【００１６】
【図１】本考案による音響器具結合型の卓上電気スタンドを示す斜視図である。
【図２】図１におけるＩＩ−ＩＩ線による断面図である。
【符号の説明】
【００１７】
１０    電気スタンド
１４    台座
１６    支柱
２６    オーディオソース
２８    拡張部
３２、３２’    スピーカ要素
３４    オン／オフスイッチ
３６    ボリューム
３８    連結ジャックポート
４０    トレイ
【図１】
0003122244.tif 000003
【図２】
0003122244.tif 000004